(57)【要約】【課題】手動操作される部分の形状に関わらず、単一の検査装置を用いて支軸周りに回動させ、回動により動作する動作部の動作検査を行うことが可能な操作つまみ、及び、該操作つまみを回動させて動作部の動作検査を行う動作検査装置を提供する。【解決手段】操作つまみ１は、支軸５周りの回動により動作部を動作させる操作つまみであって、手動操作され、支軸５周りに回動する手動操作ノブ１０と、手動操作ノブ１０と一体的に支軸５周りに回動し、動作部の動作検査に際して回動させられる検査用操作部２とを具備する。また、動作検査装置は、操作つまみ１を回動させ、動作部の動作検査を行う動作検査装置であって、操作つまみ１の支軸５と同一の軸周りに回動可能に構成され、操作つまみ１の検査用操作部２に対して回動不能に係合する係合部３を具備する。【選択図】図４
0003125146.tif 000002
【実用新案登録請求の範囲】
【請求項１】
支軸周りの回動により動作部を動作させる操作つまみであって、
手動操作され、前記支軸周りに回動する手動操作部と、
該手動操作部と一体的に前記支軸周りに回動し、前記動作部の動作検査に際して回動させられる検査用操作部と
を具備することを特徴とする操作つまみ。
【請求項２】
前記検査用操作部は、前記手動操作部と一体的に形成されることを特徴とする請求項１に記載の操作つまみ。
【請求項３】
請求項１または請求項２に記載の操作つまみを回動させ、該操作つまみの回動によって動作する動作部の動作検査を行う動作検査装置であって、
前記操作つまみの支軸と同一の軸周りに回動可能に構成され、前記操作つまみの検査用操作部に対して回動不能に係合する係合部を具備することを特徴とする動作検査装置。
【考案の詳細な説明】
【技術分野】
【０００１】
本考案は、操作つまみ及び動作検査装置に関するものであり、特に、支軸周りに回動して動作部を動作させる操作つまみ、及び該操作つまみを回動させて動作部の動作検査を行う動作検査装置に関するものである。
【背景技術】
【０００２】
自動車、電気機器、機械機器等には、電気的な接点の離接、電流や電圧の増減、弁体の作動などの種々の動作を、支軸周りの回動によって行わせる操作つまみが設けられているものが多い。そして、操作つまみの操作によって所定の動作が正常に行われるか否か等の動作検査を行う場合、従前では、作業者が手動で操作つまみを操作していたが、近年では、自動的に操作つまみを回動させて動作検査を行う動作検査装置が用いられている。このような動作検査装置では、一般的に、操作つまみの外周と嵌合可能な爪部を検査装置側に設け、該爪部に操作つまみを嵌合させた状態で爪部を操作つまみの支軸と同一の軸周りに回動させることにより、操作つまみを回動させている。
【考案の開示】
【考案が解決しようとする課題】
【０００３】
しかしながら、操作つまみの形状は種々であるため、図５（ａ）（ｂ）に模式的に示すように、検査装置側で操作つまみ５１，５２の形状に応じた爪部６１，６２をそれぞれ備える必要があった。そのため、操作つまみの形状に応じて、形状の異なる種々の爪部を製造するために、手間やコストがかかるという問題があった。また、検査対象品の種類が変わるごとに爪部を取り替えなくてはならず、作業が煩雑となると共に、検査ラインを一時停止させなければならないという問題もあった。
【０００４】
そこで、本考案は上記の実情に鑑み、手動操作される部分の形状に関わらず、単一の検査装置を用いて支軸周りに回動させ、回動によって動作する動作部の動作検査を行うことが可能な操作つまみ、及び、該操作つまみを回動させて動作部の動作検査を行う動作検査装置の提供を課題とするものである。
【課題を解決するための手段】
【０００５】
本考案に係る操作つまみは、「支軸周りの回動により動作部を動作させる操作つまみであって、手動操作され、前記支軸周りに回動する手動操作部と、該手動操作部と一体的に前記支軸周りに回動し、前記動作部の動作検査に際して回動させられる検査用操作部とを」を具備して構成されている。
【０００６】
「動作部」は、電気的、機械的、或いは電磁気的に動作する部分であり、支軸周りの操作つまみの回動により、固定接点と可動接点とが離接するスイッチ機構、抵抗値が変化する可変抵抗器、コイルへの通電・非通電が切り替えられて電磁弁を動作させる電子回路等を例示することができる。また、「動作検査」は、接点が正常に切り替わるか否かの導通検査、所定の動作を行う際の操作つまみの感触検査、電流値や電圧値が所望の範囲内であるか否かの検査、動作部によって動作させられるモータや弁体などが実際に所望の動作を行うか否かの検査等を、例示することができる。
【０００７】
「検査用操作部」は、手動操作のためには用いられず、動作部の動作検査に際してのみ回動させられる部分である。この検査用操作部が「手動操作部と一体的に回動する」ものであるためには、例えば、手動操作部を外方に一部突出させることにより、検査用操作部を手動操作部と一体的に形成することができる。あるいは、手動操作部と検査用操作部とを並設して同一の支軸に挿通させ、接着・融着等により両者を強固に一体化してもよい。
【０００８】
従って、本考案によれば、操作つまみが、手動操作部と別構成の検査用操作部を具備するため、手動操作部がどのような形状であっても、検査用操作部の形状を一定に設定することが可能となる。そして、その場合、一定形状の検査用操作部に対応し、検査用操作部を支軸周りに回動させられる動作検査装置を用いることにより、手動操作部の形状に関わらず単一の動作検査装置で操作つまみを回動させ、動作部の動作検査を行うことが可能となる。これにより、手動操作部の形状に対応した部材を検査装置側が備える必要がなく、そのような部材の製造のための手間やコストが不要となる。また、検査対象品の種類が異なり、異なる形状の手動操作部を有する製品の動作検査を行う場合に、検査装置側で部材を取り替える必要がなく、作業の煩雑さを回避することができる。加えて、検査ラインを停止させる必要がないため、効率良く、迅速に動作検査を行うことが可能となる。
【０００９】
また、本考案による操作つまみは、「前記検査用操作部は、前記手動操作部と一体的に形成される」ものとすることができる。
【００１０】
従って、本考案によれば、別体の検査用操作部及び手動操作部が接着・融着等により一体化されるのではなく、両者が最初から一体的に形成される。これにより、回動動作の繰り返しにより、手動操作部と検査用動作部との間にがたつきが生じたり、両者が剥離したりする恐れがなく、強度的に安定した操作つまみとなる。加えて、両者間にがたつきがないことから、手動操作部の支軸回りの回動と、検査用操作部の支軸周りの回動とが一致する。これにより、検査用操作部を回動させて動作検査をする際の動作部の動作が、実際に手動操作部を操作する際の動作部の動作と一致し、動作検査がより正確なものとなる。
【００１１】
次に、本考案の動作検査装置は、「上記に記載の操作つまみを回動させ、該操作つまみの回動によって動作する動作部の動作検査を行う動作検査装置であって、前記操作つまみの支軸と同一の軸周りに回動可能に構成され、前記操作つまみの検査用操作部に対して回動不能に係合する係合部を」具備して構成されている。
【００１２】
「係合部」は、例えば、凸状に形成された検査用操作部の外周と嵌合可能な凹状に形成することができる。あるいは、手動操作部から突設された部材に、孔状の構成として検査用操作部を設けた場合、その孔状の検査用操作部に嵌挿可能な凸状に形成することができる。なお、係合部は、操作つまみの支軸と同一の軸周りに回動するアーム状の構成等と一体的に形成されるものであっても、アーム状の構成等に固定的に取り付けられることによって、操作つまみの支軸と同一の軸周りに回動するものであってもよい。
【００１３】
従って、本考案によれば、動作検査装置の係合部と操作つまみの検査用操作部とを回動不能に係合させ、係合部を操作つまみの支軸と同一の軸周りに回動させることにより、係合部の回動と操作つまみの回動とが一致する。これにより、手動操作部を操作することなく操作つまみを支軸周りに回動させ、動作部の動作検査を行うことができ、本考案の操作つまみの動作検査のために適した動作検査装置となる。また、操作つまみの検査用操作部の形状が一定に設定されていれば、係合部の構成をそれに対応したものとすることにより、操作つまみの手動操作部の形状に関わらず、動作検査を行うことが可能な動作検査装置となる。
【考案の効果】
【００１４】
以上のように、本考案によれば、手動操作される部分の形状に関わらず、単一の検査装置を用いて支軸周りに回動させ、回動により動作する動作部の動作検査を行うことが可能な操作つまみ、及び、該操作つまみを回動させて動作部の動作検査を行う動作検査装置を提供することができる。
【考案を実施するための最良の形態】
【００１５】
以下、本考案を実施するための最良の一実施形態である操作つまみ、及び、該操作つまみの回動により動作する動作部の動作検査を行う動作検査装置について、図１乃至図４に基づいて説明する。なお、本実施形態では、本考案の操作つまみを、自動車のパワーウィンドウの昇降用のスイッチに適用し、動作検査装置でスイッチの導通検査及び感触検査を行う場合について例示する。ここで、図１は本実施形態の操作つまみを適用したスイッチの構成を示す斜視図であり、図２は図１のスイッチの要部の断面図であり、図３は本実施形態の動作検査装置の構成の概略を模式的に示した説明図であり、図４（ａ）は図１のスイッチにおける検査用操作部及びこれと対応する係合部を示す斜視図であり、図４（ｂ）は検査用操作部の他の例、及びこれと対応する係合部を示す斜視図である。
【００１６】
本実施形態の操作つまみ１が適用されたスイッチ３０は、図１に示すように、下方に開口する函状に形成されたスイッチ基体３１と、支軸５によってスイッチ基体３１に軸支された操作つまみ１と、スイッチ基体３１の内部に構成された動作部２０とを、主に具備して構成されている。また、操作つまみ１は、支軸５周りに回動する手動操作部としての手動操作ノブ１０と、手動操作ノブ１０と一体的に支軸５周りに回動し、動作部２０の動作検査に際して回動させられる検査用操作部２とを、具備して構成されている。
【００１７】
より詳細に説明すると、手動操作ノブ１０は下方に開口した平面視略矩形の函体であり、上面の一辺に沿って、庇状に張り出した指掛け部１１が形成されている。また、手動操作ノブ１０の内部空間には、図２に示すように、上面から下方に延びた筒状部１５が手動操作ノブ１０と一体的に形成され、筒状部１５に対して垂直に固定された支軸５により、手動操作ノブ１０がスイッチ基体３１に対して軸支された構成とされている。
【００１８】
手動操作ノブ１０の支軸５に直交する二側面の一方は、支軸５に沿って一部が外方に突出し、図１に示すように、略直方体形状の検査用操作部２が形成されている。ここで、検査用操作部２は、合成樹脂によって手動操作ノブ１０と一体的に形成されている。
【００１９】
動作部２０は、二つの固定接点２１ａ，２１ｂ及びその中間に設けられた中央接点２１ｃと、断面略Ｍ字形の可動接点２２と、筒状部１５に挿入されると共にばね部材（図示しない）によって下方に付勢されている棒状のプッシャ２５とを具備して構成されている。ここで、可動接点２２は、中央接点２１ｃとの接点を支点としたシーソー運動により、両側の端部が、それぞれ固定接点２１ａ，２１ｂと離接する。なお、可動接点２２は弾性を有する材料で形成され、その弾性により、操作つまみ１を操作する際の節度感を生じせしめている。
【００２０】
手動操作ノブ１０を手動により操作する場合、スイッチ３０の動作部２０は次のように動作する。まず、手動操作ノブ１０に対して力が加えられておらず、プッシャ２５が垂設し、中央接点２１ｃのみが可動接点２２と接触している状態では、パワーウィンドウを昇降させるモータに接続された電子回路は開いている。次に、手動操作ノブ１０の指掛け部１１付近の上面を押下げるように操作して、操作つまみ１を回動させると（図２の矢印Ａ方向）、筒状部１５と共に回動するプッシャ２５の押圧により、可動接点２２は図示矢印Ｙ方向に揺動し、固定接点２１ｂが中央接点２１ｃと共に可動接点２２と接触する。これにより、モータを正回転させてパワーウィンドウを降下させる電子回路が閉回路となる。一方、手動操作ノブ１０の指掛け部１１を引き上げるように操作し、操作つまみ１を図示矢印Ｂ方向に回動させた場合は、プッシャ２５の押圧により可動接点２２は矢印Ｘ方向に揺動し、固定接点２１ａが中央接点２１ｃと共に可動接点２２と接触する。これにより、モータを逆回転させてパワーウィンドウを上昇させる電子回路が閉回路となる。
【００２１】
次に、動作部２０の動作検査を行う動作検査装置５０の構成の概略を、模式的に図示した図３用いて説明する。本実施形態の動作検査装置５０は、軸５５周りに回動可能な略Ｌ字状の回動アーム５２と、回動アーム５２に対して取付けられた検査アーム５３と、検査アーム５３の先端に設けられた係合部３とを、主に具備して構成されている。ここで、検査位置に設置されたスイッチ３０の支軸５と、回動アーム５２の回動の中心軸５５とが一致するように、検査位置が設定されている。
【００２２】
検査アーム５２は、エアシリンダ５６に駆動されるピストンロッド５６ａの先端に取付けられ、エアシリンダ５６は、圧力センサとしてのロードセル及びばね（ともに図示しない）を介在させて、回動アーム５２に対して固定的に取付けられている。また、軸５５には、モータ（図示しない）の回転をベルトを介して軸５５に伝達するプーリ５６、及び、回動アーム５３の軸５５周りの回動を検出するエンコーダ５９が取付けられている。
【００２３】
更に、スイッチ３０が検査位置に設置された際に、スイッチ３０の固定接点２１ａ，２１ｂ及び中央接点２１ｃとそれぞれ接するコネクタ部６１ａ，６１ｂ，６１ｃと、スイッチ３０の可動接点２２が固定接点２１ａと接触した際に閉回路となるモータ逆回転用の電子回路の開閉を検知する導通検知手段６２、及び可動接点２２が固定接点２１ｂと接触した際に閉回路となるモータ正回転用の電子回路の開閉を検知する導通検知手段６３とを具備している。
【００２４】
加えて、上記の各構成を制御し、導通検知手段６２，６３の検知や圧力センサからの出力に基づいて、スイッチ３０の良否の判断を行う制御手段（図示しない）が、記憶装置と、記憶装置に記憶されたプログラムに従って処理を行うマイクロプロセッサにより構成されている。
【００２５】
以下、動作検査装置５０による動作検査の方法の概略を説明する。ここで、本実施形態における検査対象のスイッチ３０は、自動車の型式等により手動操作ノブ１０は種々の形状に形成されているが、検査用操作部２は、図４（ａ）に示すように、全て同一の形状及び大きさに形成されている。そして、動作検査装置の係合部３は、検査用操作部２の外周に嵌合可能な凹部を有して構成されている。
【００２６】
動作検査に際しては、まず、検査対象のスイッチ３０が移動手段（図示しない）によって検査位置に設置される。このとき、回動アーム５２は上昇した状態であり、検査アーム５３の係合部３が検査用操作部２の丁度真上に位置するよう、検査位置が設定されている。そして、エアシリンダ５６によるピストンロッド５６ａの駆動により検査アーム５３が降下させられると、検査アーム５３の係合部３とスイッチ３０の検査用操作部２とが、回動不能に係合する。
【００２７】
この状態で、回動アーム５２を軸５５周りに回動させると、検査アーム５３及び係合部３を介して検査用操作部２が支軸５周りに回動させられる。例えば、検査用操作部２が図２の矢印Ａ方向に回動させられたとすると、手動操作ノブ１０を操作することなく操作つまみ１が矢印Ａ方向に回動させられる。そして、このとき、動作部２０が正常に作動してモータ正回転用の電子回路が閉じて通電状態となるか否かが、導通検知手段６３によって検知され、制御手段によってスイッチ３０の良否が判断される。
【００２８】
また、導通検査と同時に、スイッチ３０の感触検査も行われる。上記の構成により、回動アーム５２が回動していない状態で、ばねの付勢によって圧力センサには一定の負荷が加えられている。そのため、回動アーム５２を軸５５周りに何れかの方向に回動させると、検査アーム５３を回動させるために要する力によって、圧力センサに加えられる負荷が変化する。この圧力変化の圧力センサよる検知に基づき、検査アーム５３の回動に際しての圧力波形が、制御手段によって作成される。そして、予め記憶装置に記憶された基準波形との対比が行われ、良品として出荷可能な上限の基準波形及び下限の基準波形の間の範囲内に、測定された圧力波形が収まるか否かが判断される。これにより、たとえ接点の切り替えが正常に行われる製品であっても、操作する際の感触の良くない製品が判別される。
【００２９】
更に、上記と同様に、回動アーム５２、検査アーム５３及び係合部３を介して、検査用操作部２を支軸５周りに矢印Ｂ方向に回動させ、動作部２０が正常に作動してモータ逆回転用の電子回路に切替えられるか否かの導通検査、及び、感触検査が行われる。
【００３０】
なお、上記の動作検査装置５０の構成は例示であり、例えば、回動アーム５２を略コ字形に形成し、検査位置にあるスイッチ３０を挟むように、回動アーム５２が中心軸５５によって二箇所で支持される構成としても良い。また、スイッチ３０の操作つまみ１の一方の側面にのみに検査用操作部２が設けられる場合を例示したが、対抗する側面にも同様の構成の検査用操作部２が設けられる構成とし、これに対応させて検査アーム５３も二本を回動アーム５２に取付け、二つの検査用操作部２を同時に回動させることによって操作つまみ１を回動させるものとしても良い。
【００３１】
また、上記の検査用操作部２及び係合部３の構成は例示であってこれに限定されず、例えば、図４（ｂ）に例示する構成とすることができる。本例の検査用操作部２’は、支軸５に沿って手動操作ノブ１０から突出するように一体的に形成された突片４０に、孔状の構成として設けられている。そして、動作検査装置側の係合部３’は、孔状の検査用操作部２’に嵌挿可能な、円錐状や円柱状の突状部を有する構成とすることができる。
【００３２】
以上のように、本実施形態の操作つまみ１を適用したスイッチ３０が、手動操作ノブ１０とは別個の構成として検査用操作部２を具備し、その検査用操作部２が一定の形状に設定されていると共に、本実施形態の動作検査装置５０が、操作つまみ１の検査用操作部２に対応した係合部３を有する構成とされていることにより、手動操作ノブ１０がどのような形状であっても、単一の動作検査装置５０で操作つまみ１を回動させ、動作検査を行うことができる。そのため、手動操作ノブ１０の形状に応じて、検査装置側で部材を取り替える必要がなく、煩雑な作業を回避して極めて簡易に動作検査を行うことができる。また、部材の取替えのために検査ラインを停止させる必要がないため、効率良く迅速に動作検査を行うことができる。加えて、検査対象のスイッチ３０の種類ごとに、検査装置側で部材を備えるための、手間やコストを削減することができる。
【００３３】
また、検査用操作部２が手動操作ノブ１０と樹脂により一体的に形成されているため、支軸５周りの両者の回動が一致する。これにより、検査用操作部２を回動させて検査した際のスイッチ３０の動作と、実際に手動操作ノブ１０を操作して操作つまみ１を回動させる場合のスイッチ３０の動作とが一致し、動作検査がより正確なものとなる。加えて、繰返えして回動させられる操作つまみ１が、強度的に安定したものとなる。
【００３４】
なお、本実施形態のスイッチ３０は、自動車のドアパネルに装着される際、検査用操作部２がパネル面から露呈しないように取付けられ、スイッチ３０に検査用操作部２を設けることによって自動車の意匠性が損なわれる恐れのないものとなっている。
【００３５】
以上、本考案について好適な実施形態を挙げて説明したが、本考案はこの実施形態に限定されるものではなく、以下に示すように、本考案の趣旨を逸脱しない範囲において、種々の改良及び設計の変更が可能である。
【００３６】
例えば、上記の実施形態では、自動車のパワーウィンドウの昇降用のスイッチ３０について、動作部２０における接点の離接のための具体的な構成を例示し、導通検査及び感触検査を行う場合の動作検査装置５０の構成を例示したが、これに限定されるものではない。例えば、パワーウィンドウの昇降用のスイッチが、同一方向の回動によって接点の離接が二段階に行われ、所定の角度以上の回動により、操作つまみから手を離してもウィンドウが上昇または下降し続けるオート・アップダウン式の構成であってもよく、その場合には、検査用操作部を所定の角度以上に回動させた際に、接点がＯＦＦ状態となっても電流が保持されるか否かの動作検査を行う構成とすることができる。
【００３７】
更に、本考案の操作つまみが、自動車のパワーウィンドウの昇降用のスイッチに適用される場合を例示したが、これに限定されず、例えば、自動車のサンルーフの開閉用のスイッチやサイドミラーの開閉用のスイッチに適用することもできる。
【００３８】
また、本考案の適用の対象は自動車のスイッチ及びその動作検査装置に限定されるものではなく、例えば、操作つまみの支軸周りの回転により接点を離接させ、接点が閉じたときにスパークを開始させるガスコンロの点火スイッチ、及びその動作を検査する動作検査装置に、本考案を適用することができる。
【００３９】
加えて、本考案の適用の対象はスイッチ及びその動作検査装置に限定されるものではなく、例えば、オーディオ製品のボリューム調整用の操作つまみ、及び、その操作つまみの回動に伴う抵抗値の変化を検査する動作検査装置に、本考案を適用することができる。
【図面の簡単な説明】
【００４０】
【図１】本実施形態の操作つまみを適用したスイッチの構成を示す斜視図である。
【図２】図１のスイッチの要部の断面図である。
【図３】本実施形態の動作検査装置の構成の概略を模式的に示した説明図である。
【図４】（ａ）は図１のスイッチにおける検査用操作部及びこれと対応する係合部を示す斜視図であり、（ｂ）は検査用操作部の他の例、及びこれと対応する係合部を示す斜視図である。
【図５】従来の操作つまみ、及び、対応する動作検査装置の爪部を説明する説明図である。
【符号の説明】
【００４１】
１  操作つまみ
２，２’  検査用操作部
３，３’  係合部
５  支軸
１０  手動操作ノブ（手動操作部）
２０  動作部
２１ａ，２１ｂ  固定接点（動作部）
２１ｃ  中央接点（動作部）
２２  可動接点（動作部）
２５  プッシャ（動作部）
５０  動作検査装置
５５  操作つまみの支軸と同一の軸
【図１】
0003125146.tif 000003
【図２】
0003125146.tif 000004
【図３】
0003125146.tif 000005
【図４】
0003125146.tif 000006
【図５】
0003125146.tif 000007